(57)【要約】  本発明は、少なくとも２つの有機電子構成エレメントを備えた装置、および該装置を製造するための方法に関する。前記有機電子構成エレメントは、それぞれ少なくとも１つの有機機能層を有する。従来の装置とは異なり、本発明による装置は、有機材料から成る構成エレメントを少なくとも２つ有するので、本発明による装置の製造は、有機電子構成エレメントと従来の電子構成エレメントとの組み合わせを必要とする公知の装置より格段に低コストで、かつ簡単である。本発明による装置は場合によっては、従来のシリコン半導体技術を必要としない。
2005509200.tif 000002
【特許請求の範囲】
【請求項１】
少なくとも２つの電子有機構成エレメントを備えた装置において、
両電子有機構成エレメントはそれぞれ、少なくとも１つの有機機能層を有し、機能的に直接的または間接的に接続されていることを特徴とする装置。
【請求項２】
前記電子有機構成エレメントは、基板上に取り付けられている、請求項１記載の装置。
【請求項３】
該基板はフレキシブルな基板である、請求項１または２記載の装置。
【請求項４】
前記構成エレメントはカプセル化されている、請求項１から３までのいずれか１項記載の装置。
【請求項５】
導体路を介して有機電子回路と機能的な接続が行われる、請求項１から４までのいずれか１項記載の装置。
【請求項６】
少なくとも２つの電子有機構成エレメントを備えた装置を製造するための方法において、
前記電子有機構成エレメントを、基板の加圧、噴霧、被覆、圧刻および／または掻き取り、インプリント、加熱および／または照射によって製造することを特徴とする方法。
【請求項７】
前記製造を連続的なプロセスで行う、請求項６記載の方法。
【請求項８】
前記製造を大面積で行う、請求項６または７記載の方法。
【発明の詳細な説明】
【技術分野】
【０００１】
本発明は、少なくとも１つの有機機能層を有する電子構成エレメントを少なくとも２つ有する装置に関する。さらに本発明は、該装置のための製造方法に関する。
【０００２】
公知であるのは、少なくとも１つの有機機能層を有するディスプレイ等の装置である。このような装置は、従来の（すなわち、シリコンを含有する半導体材料を使用して機能する）外部の電子回路によって駆動される。また、少なくとも１つの有機機能層を有するソーラーセル／フォトセルが公知であるが、このソーラーセル／フォトセルはディスプレイのように、従来の電子回路によって駆動しなければならないという欠点を有する。
【０００３】
少なくとも２つの電子構成エレメントを有するこの公知の装置において不都合な点は、従来のシリコン半導体技術から製造された構成エレメントを有するということである。このような構成エレメントのプロセスコストおよび製造は、有機電子構成エレメントと比較して格段に高価で面倒である。
【０００４】
したがって本発明の課題は、使い捨て製品として経済的に使用できるように、簡単かつ低コストで製造できる複雑な装置つまり少なくとも２つの電子構成要素を含む装置を提供することである。
【０００５】
本発明の対象は、少なくとも２つの電子有機構成エレメントを有する次のような装置である。すなわち、両構成エレメントはそれぞれ少なくとも１つの有機機能層を有し、機能的に直接または間接的に接続されている装置である。
【０００６】
さらに本発明の対象は、少なくとも２つの電子有機構成エレメントを有する装置を製造するための次のような方法である。すなわち、基板の加圧、噴霧、被覆、圧刻、 インプリント、加熱および／または照射によって該２つの電子有機構成エレメントを製造する方法である。
【０００７】
基板は、製造時に被覆されるかまたは被覆されない。基板が被覆された場合、機能層を照射によって製造することができる。未被覆状態の基板上には、機能ポリマ等の加圧および／または圧刻および掻き取りによって機能層が製造される。
【０００８】
電子有機構成エレメントとは、少なくとも１つの有機機能層を有する構成エレメントを指す。すなわち、少なくとも１つの重要な電子的な構成要素、たとえば有機材料から成る半導体の層および／または導体の層を含む構成エレメントを指す。
【０００９】
ここでは「有機材料」および／または「有機的」という概念は、有機プラスチック、有機金属プラスチックおよび／または無機プラスチックのすべての種類、すなわち英語で「プラスチック」と称されるすべての種類を含む。ここでは、古典的なダイオードを形成する半導体（ゲルマニウム、シリコン）および典型的な金属導体を除外したすべての種類の物質が挙げられる。したがって、教義上の観点で炭素含有材料としての有機材料に限定することは想定されていない。むしろ、たとえばシリコーン等の幅広い使用も考慮されている。さらに、この用語は分子の大きさに関して、とりわけポリマ材料および／またはオリゴマー材料に関連して限定されることは決してなく、「小分子」の使用も十分に可能である。
【００１０】
ここでは「機能的に直接」とは、別のモジュールが中間接続されることなく形成された、２つのモジュールの接続を指し、「機能的に間接的」とは、別のモジュールが中間接続された、２つのモジュールの接続を指す。たとえば電卓では、ディスプレイおよびエネルギー蓄積器が直接接続されており、ディスプレイおよびキーボードは間接的に、たとえば圧力センサを介して接続されている。
【００１１】
電子構成エレメントとは、電卓、操作エレメントまたは（圧力、温度、光等のための）センサを有するディスプレイ等の比較的複雑な装置の構成部分であるすべての種類のコンポーネントを指す。このようなコンポーネント／構成エレメントは以下のものである：
ダイオード、発光ダイオードおよび／またはフォトダイオード、フォトセル、ソーラーセル、トランジスタ、有機電界効果トランジスタ、ディスプレイ（またはＬＥＤ、ランプ）、駆動制御電子回路、キーボード、バッテリー、コンピュータ、集積回路（Integrated circuit、ＩＣ）、画面、たとえば抵抗器、コンデンサおよび／またはコイル等のパッシブな構成素子。
【００１２】
少なくとも２つの有機電子構成エレメント／有機電子コンポーネントが１つの装置で組み合わされている。ここで装置の例として挙げられるのは、以下のものである：電卓、操作エレメントおよび／またはセンサを有するディスプレイ。前記センサは、たとえば圧力センサ、温度センサまたは光センサである。さらに、装置のケーシング内および／または基板上に１つまたは２つの電子有機構成エレメントを組み込むか、または電子回路の集積回路がプリント回路基板で、少なくとも２つの電子有機構成エレメントを有する装置を形成するように構成することができる。
【００１３】
このような装置は、確かに少なくとも２つの有機電子構成エレメントを有するが、任意に多数の別の構成エレメントも有することもできる。この別の構成エレメントは、従来の半導体技術でも製造することができる。前記少なくとも２つの電子構成エレメントは、たとえば発光素子および光検出素子がアクティブなマトリックスディスプレイとの組み合わせで相互に補足できるように、また圧力センサが発光素子等とともに相互に補足できるように、相互に補足することができる。ここでは、装置および該装置に所属する駆動制御部が少なくとも２つの装置であるという観点で制限されるわけではなく、特に、同じ有機半導体技術のそれ自体独立した２つの装置を組み合わせることが想定されている。
【００１４】
以下に本発明を、本発明の実施例を示す４つの図面に基づいて説明する。
【００１５】
図１  電卓の平面図である。
【００１６】
図２  電卓の横断面図である。
【００１７】
図３  オプトカプラのための回路を示している。
【００１８】
図４  オプトカプラの横断面図である。
【００１９】
図１には装置として電卓１が、上方からの全体平面図で示されている。この装置内では以下の電子有機構成エレメントが組み合わされている：
電卓１のモニタ機能を果たす有機ディスプレイ２、および有機ソーラーセルユニットおよび／またはバッテリー等の有機的なエネルギー蓄積器３。このエネルギー蓄積器３は、電卓１に対してエネルギーを供給する。
【００２０】
さらに該電卓１はキーボード４を有する。このキーボード４はたとえば、圧力センサ等の有機的な電子回路６を介して機能する。この圧力センサ等の電子回路６は各キーの下に配置されているため、ここでは示されていない。上記で挙げられた構成エレメント／コンポーネントは、ここでは唯一の基板５上に設けられている。この基板５はたとえば、フィルム等のフレキシブルな基板とすることができる。
【００２１】
電卓１は、たとえば大面積プロセスによって製造される。このプロセスでは基板に種々の有機構成エレメントが、加圧、噴霧またはスピンコーティング等によって連続的な方式で取り付けられる。最も簡単なケースでは基板は、個々の有機構成エレメントの機能層が完全に取り付けられるまで、連続して接続されたローラ上で移動される。被覆された基板は、電卓１等の個々の装置が完成する前に切断すればよい。
【００２２】
３つの構成エレメントであるディスプレイ２、有機エネルギー蓄積器３およびキーボード４は機能的に接続されているので、電卓１は作動中、キーボード４の操作により、エネルギー蓄積器３によって供給されたエネルギーを使用して、要求された結果をディスプレイ２上に表示する。
【００２３】
図２は電卓１の横断面を示している。ここでは下方に基板５が示されており、この基板５上には有機ディスプレイ２、有機的エネルギー蓄積器３およびキーボード４が取り付けられている。これらとともに有機電子回路６も取り付けられており、これはキーボード４の下方に設けられている。すべての構成エレメントは、基板の簡単な加圧によって形成される。それゆえ、このような装置を低コストで製造し、使い捨て製品として適用することが可能になる。
【００２４】
図３はオプトカプラのための回路を示している。ここには、コンタクトまたは端子８，９，１０および１７、ドライバ電子回路１０、発光ダイオード１１、光線が通過する透過性の絶縁分離層１３、受信ダイオード（光検出器）１５、および電子評価回路１６が図示されている。前記受信ダイオード１５は、発光ダイオード１１から分離層１３によって分離されている。
【００２５】
図４は同一のオプトカプラの横断面を示している。基板１８上には、発光ダイオード１１がドライバ電子回路１０とともに設けられている。これらの上には被覆層１９（任意）が設けられており、この上に透過性の絶縁分離層１３が設けられている。この絶縁分離層１３は、いわゆる受信ダイオード１５および電子評価回路１６のための基板として使用される。
【００２６】
図示された装置のコンポーネントはすべて、加圧、噴霧および／または被覆等により、有機材料によって製造することができる。
【００２７】
個々のコンポーネントが基板上に製造された後、装置をカプセル化部材７，２０によって、機械的な環境影響および／または他の不所望の環境影響から保護することが望ましい。
【００２８】
本発明は、少なくとも１つの有機機能層を有する電子構成エレメントを少なくとも２つ備えた装置と、該装置のための製造方法に関する。該装置は従来の装置と異なって、有機材料から成る少なくとも２つの構成エレメントを有する。したがってこのような装置の製造は、常に有機電子構成エレメントと従来の電子構成エレメントとの組み合わせが設けられている従来の公知の装置より格段に低コストであり、かつ格段に簡単である。ここでは場合によっては、従来のシリコン半導体技術を完全に省略することができる。
【図面の簡単な説明】
【００２９】
【図１】電卓の平面図である。
【００３０】
【図２】電卓の横断面図である。
【００３１】
【図３】オプトカプラのための回路を示している。
【００３２】
【図４】オプトカプラの横断面図である。
【図１】
2005509200.tif 000003
【図２】
2005509200.tif 000004
【図３】
2005509200.tif 000005
【図４】
2005509200.tif 000006
【国際調査報告】
2005509200.tif 000007
2005509200.tif 000008
2005509200.tif 000009
2005509200.tif 000010
2005509200.tif 000011
2005509200.tif 000012
2005509200.tif 000013
2005509200.tif 000014